(57)【要約】【課題】表紙とその内部のシートとを溶着しても、表紙の背表紙部分が潰れたりすることのないファイルと、そのようなファイルの製造方法を得る。【解決手段】背表紙と表表紙と裏表紙とを含む表紙、および前記背表紙の内側に前記背表紙の幅方向に間隔を隔てて溶着される複数のシートを含むファイルであって、前記背表紙１４の幅方向における中央部が一番外側に飛び出すように前記背表紙１４を湾曲しやすくするための貫通孔３２が前記背表紙に形成され、前記複数のシート３０のうちの少なくとも１枚のシート４０の端部から前記背表紙の内側と前記少なくとも１枚のシートを除く前記複数のシート５０の端部との間にわたって溶着部４４が形成され、前記複数のシートの端部が前記溶着部とともに前記背表紙の内側に溶着された、ファイル。【選択図】図１
2011201114.tif 000002
【特許請求の範囲】
【請求項１】
背表紙と前記背表紙の幅方向における一端部に形成される表表紙と前記背表紙の幅方向における他端部に形成される裏表紙とを含む表紙、および
前記背表紙の内側に前記背表紙の幅方向に間隔を隔ててそれぞれの端部が溶着される複数のシートを含むファイルであって、
前記背表紙の幅方向における中央部が一番外側に飛び出すように前記背表紙を湾曲しやすくするための貫通孔が前記背表紙に形成され、
前記複数のシートのうちの少なくとも１枚のシートの端部から前記背表紙の内側と前記少なくとも１枚のシートを除く前記複数のシートの端部との間にわたって溶着部が形成され、
前記複数のシートの端部が前記溶着部とともに前記背表紙の内側に溶着された、ファイル。
【請求項２】
請求項１に記載のファイルを製造するためのファイルの製造方法であって、
背表紙と前記背表紙の幅方向における一端部に形成される表表紙と前記背表紙の幅方向における他端部に形成される裏表紙とを含む表紙を形成する工程、
前記背表紙の内側に前記背表紙の幅方向に間隔を隔ててそれぞれの端部が溶着される複数のシートを形成する工程、および
前記複数のシートの端部を前記背表紙の内側に前記背表紙の幅方向に間隔を隔てて溶着する工程を含み、
前記表紙を形成する工程は、前記背表紙の幅方向における中央部が一番外側に飛び出すように前記背表紙を湾曲しやすくするための貫通孔を前記背表紙に形成する工程を含み、
前記複数のシートを形成する工程は、前記複数のシートのうちの少なくとも１枚のシートの端部から前記背表紙の内側と前記少なくとも１枚のシートを除く前記複数のシートの端部との間にわたるべき溶着部を形成する工程を含み、
前記溶着する工程は、前記複数のシートの端部が前記溶着部とともに前記背表紙の内側に溶着される工程を含む、ファイルの製造方法。
【発明の詳細な説明】
【技術分野】
【０００１】
この発明は、ファイルおよびその製造方法に関し、特にたとえば、表紙の内側に複数のシートを溶着したファイルおよびその製造方法に関する。
【背景技術】
【０００２】
この発明の背景となる従来のファイルには、たとえば、熱可塑性樹脂からなる表紙の背部と被綴じシートとを溶着することにより製本されたアルバムなどのようなファイルがある。このようなファイルを作製するには、まず、たとえば特許文献１に示すように、多数枚の被綴じシート１が重ね合わされた状態で被綴じ体用の保持機構２によって保持される。そして、これらの被綴じシート１の重ね合わされた部分の端面に、表紙用の保持機構３によって保持された表紙３の背部の内側が近付けられ、被綴じシート１の重ね合わされた部分の端面と表紙３の背部との間に発熱体５が挿入される。それから、発熱体５による加熱により、被綴じシート１の重ね合わされた部分の端面と表紙３の背部が同時に溶融する。この状態で、被綴じシート１と表紙３の背部との間から発熱体５を引き抜き、被綴じシート１の重ね合わされた部分の端面と表紙３の背部とを接触させることにより、被綴じシート１と表紙３とが溶着される。
【０００３】
このような製本方法で作製されるファイルとしては、アルバム以外に、名刺ホルダーやはがき整理用ファイルなどがある（特許文献１参照）。
【先行技術文献】
【特許文献】
【０００４】
【特許文献１】特許第２５２３２６１号公報
【発明の概要】
【発明が解決しようとする課題】
【０００５】
特許文献１に記載されているファイルでは、通常、表紙３が比較的硬い材料で形成されているので、表紙３の背部が平坦なままであって変形しにくい。そのため、そのようなファイルでは、表紙３を閉じたとき、被綴じシート１，１間の間隔が表紙３の背部の近い部分から表紙３の背部から離れた部分にわたってあまり変わらない。したがって、そのようなファイルでは、被綴じシート１，１間の間隔を広く形成すると、被綴じシート１，１間に書類などを挿入しやすくなるが、被綴じシート１，１間から書類などが抜け落ちやすくなり、逆に、被綴じシート１，１間の間隔を狭く形成すると、被綴じシート１，１間から書類などが抜け落ちにくくなるが、被綴じシート１，１間に書類などを挿入しにくくなる。  そこで、そのようなファイルにおいて、被綴じシート１，１間に書類などを挿入しやすくするとともに、被綴じシート１，１間から書類などが抜け落ちにくくするために、表紙３の背部に貫通孔を形成することによって表紙３の背部を外側に湾曲しやすくすることが考えられる。
このようにファイルにおいて表紙３の背部に貫通孔を形成すると、表紙３を閉じたとき、表紙３の背部が外側に湾曲しやすくなるので、表紙３の内側において、全ての綴じシート１，１，・・が表紙３の背部から遠ざかるにしたがって表紙３の内側で中央部に向かって集中する。そのため、表紙３を閉じたとき、背部との溶着部においては、それぞれの綴じシート１が互いに間隔を隔てているが、表紙３の背部から離れた部分においては、表紙３の内側において全ての綴じシート１，１，・・が密着した状態となる。
したがって、このようにファイルにおいて表紙３の背部に貫通孔を形成すると、被綴じシート１，１間に書類などを挿入しやすくなるとともに、被綴じシート１，１間から書類などが抜け落ちにくくなる。
しかしながら、そのようにファイルにおいて表紙３の背部に貫通孔を形成すると、被綴じシート１，１間に挿入されている書類などが、被綴じシート１，１間の溶着部を突き破り、表紙３の背部に形成されている貫通孔を通して表紙３の背部の外側に飛び出してしまうおそれがある。
【０００６】
それゆえに、この発明の主たる目的は、書類などが挿入しやすいとともに、挿入された書類などが抜け落ちにくく、しかも、挿入された書類などが表紙の背部の外側に飛び出しにくい、ファイルを提供することである。
この発明の他の目的は、書類などが挿入しやすいとともに、挿入された書類などが抜け出にくく、しかも、挿入された書類などが表紙の背部の外側に飛び出しにくい、ファイルを製造することができる、ファイルの製造方法を提供することである。
【課題を解決するための手段】
【０００７】
この発明にかかるファイルは、背表紙と前記背表紙の幅方向における一端部に形成される表表紙と前記背表紙の幅方向における他端部に形成される裏表紙とを含む表紙、および前記背表紙の内側に前記背表紙の幅方向に間隔を隔ててそれぞれの端部が溶着される複数のシートを含むファイルであって、前記背表紙の幅方向における中央部が一番外側に飛び出すように前記背表紙を湾曲しやすくするための貫通孔が前記背表紙に形成され、前記複数のシートのうちの少なくとも１枚のシートの端部から前記背表紙の内側と前記少なくとも１枚のシートを除く前記複数のシートの端部との間にわたって溶着部が形成され、前記複数のシートの端部が前記溶着部とともに前記背表紙の内側に溶着された、ファイルである。
この発明の請求項２にかかるファイルの製造方法は、請求項１に記載のファイルを製造するためのファイルの製造方法であって、背表紙と前記背表紙の幅方向における一端部に形成される表表紙と前記背表紙の幅方向における他端部に形成される裏表紙とを含む表紙を形成する工程、前記背表紙の内側に前記背表紙の幅方向に間隔を隔ててそれぞれの端部が溶着される複数のシートを形成する工程、および前記複数のシートの端部を前記背表紙の内側に前記背表紙の幅方向に間隔を隔てて溶着する工程を含み、前記表紙を形成する工程は、前記背表紙の幅方向における中央部が一番外側に飛び出すように前記背表紙を湾曲しやすくするための貫通孔を前記背表紙に形成する工程を含み、前記複数のシートを形成する工程は、前記複数のシートのうちの少なくとも１枚のシートの端部から前記背表紙の内側と前記少なくとも１枚のシートを除く前記複数のシートの端部との間にわたるべき溶着部を形成する工程を含み、前記溶着する工程は、前記複数のシートの端部が前記溶着部とともに前記背表紙の内側に溶着される工程を含む、ファイルの製造方法である。
【発明の効果】
【０００８】
この発明によれば、書類などが挿入しやすいとともに、挿入された書類などが抜け落ちにくく、しかも、挿入された書類などが表紙の背部の外側に飛び出しにくい、ファイルを提供することができる。
又、この発明によれば、書類などが挿入しやすいとともに、挿入された書類などが抜け出にくく、しかも、挿入された書類などが表紙の背部の外側に飛び出しにくい、ファイルを製造することができる。
【０００９】
この発明の上述の目的，その他の目的，特徴および利点は、図面を参照して行う以下の発明を実施するための形態の説明から一層明らかとなろう。
【図面の簡単な説明】
【００１０】
【図１】この発明にかかるファイルの一例を示す斜視図である。
【図２】図１に示すファイルに用いられる表紙を示す平面図である。
【図３】図２に示す表紙のＡ−Ａ断面図である。
【図４】背表紙の貫通孔部分におけるシートの状態を示す図解図である。
【図５】図１に示すファイルの背表紙側の外観を示す斜視図である。
【図６】図１に示すファイルの製造工程において、表紙を準備する工程を示す図解図である。
【図７】図６に示す表紙の要部を示す平面図である。
【図８】シートと合紙とを積層する工程を示す図解図である。
【図９】「１」の日付が表示されたインデックスを有するシートの平面図である。
【図１０】「２」の日付が表示されたインデックスを有するシートの平面図である。
【図１１Ａ】この発明にかかるファイルの一例を示す斜視図である。
【図１１Ｂ】黒いドットが表示されたインデックスを有するシートの平面図である。
【図１１Ｃ】背表紙に接着されるシートの状態を示す図解図である。
【図１１Ｄ】シート間に書類を挟み込んだ状態を示す図解図である。
【図１２Ａ】背表紙にシートを溶着する工程を示す斜視図解図である。
【図１２Ｂ】背表紙にシートを溶着する製本装置の図解図である。
【図１２Ｃ】背表紙にシートを溶着する工程を示す断面図解図である。
【図１２Ｄ】背表紙にシートを溶着する工程を示す断面図解図である。
【図１２Ｅ】背表紙にシートを溶着する工程を示す断面図解図である。
【図１３】表紙の背表紙にシートを溶着したときの表紙の要部を示す平面図である。
【図１４】表紙に背見出しを形成する工程を示す図解図である。
【図１５】シート間に書類を挟み込んだ状態を示す図解図である。
【図１６】実施例における背表紙並びにその連結部及び端部付近の寸法を示す図解図である。
【図１７】図１図示実施の形態の変形例の図解図である。
【図１８】図１図示実施の形態の変形例の製造過程を示す断面図解図である。
【図１９】図１図示実施の形態の変形例の製造過程を示す断面図解図である。
【図２０】図１１Ａ図示ファイルの表紙の図解図である。
【図２１】図１１Ａ図示ファイルの背表紙の端部付近の寸法を示す図解図である。
【図２２】ファイルの図解図である。
【発明を実施するための形態】
【００１１】
図１は、この発明のファイルの一例を示す斜視図である。このファイル１０は、たとえば、１か月のうちのそれぞれの日に必要な書類を管理するために用いられる。ファイル１０は、たとえばポリプロピレンなどの熱可塑性樹脂などで形成された表紙１２を含む。表紙１２は、図２に示すように、長方形状の背表紙１４と、背表紙１４の幅方向の一方側に連続して形成されるＡ面側の表表紙１６と、背表紙１４の幅方向の他方側に連続して形成されるＢ面側の裏表紙１８とを含む。表表紙１６は、たとえば長方形に形成され、その幅方向の一端側が背表紙１４に連結されている。また、裏表紙１８は、たとえば、幅方向の一端側に複数の略円弧状の凹部１８ａが形成されるとともに、他の３辺が直線状に形成される。そして、裏表紙１８の凹部１８ａ形成部の反対側の端部が、背表紙１４に連結されている。そして、この実施の形態では、裏表紙１８の幅は、表表紙１６の幅より大きくなるように形成される。背表紙１４、表表紙１６および裏表紙１８は、たとえばシート状の材料を切断することにより、一体的に形成される。
【００１２】
背表紙１４には、その長手方向の上端側から下端側まで並ぶように、複数の略４角形の貫通孔２０が形成される。なお、貫通孔２０の４つの角部分は、円弧状に形成されている。これらの貫通孔２０は、その幅が揃うようにして長手方向に連なるように、直線状に並んで配置される。したがって、貫通孔２０の間には、帯状の連結部２２が形成される。背表紙１４と表表紙１６との間および背表紙１４と裏表紙１８との間には、表紙１２の上端から下端にわたってヒンジ溝２４が形成される。さらに、ヒンジ溝２４から間隔を隔ててヒンジ溝２４と平行に、表表紙１６および裏表紙１８の上端から下端にわたって別のヒンジ溝２４が形成される。ヒンジ溝２４は、図３に示すように、表紙１２の一方面および他方面に形成される。表紙１２の一方面側においては、略円弧状の断面形状を有する第１の溝２４ａが形成される。また、表紙１２の他方面側においては、若干窪んだ断面形状を有する第２の溝２４ｂが形成される。そして、第１の溝２４ａの形成された側が表側となり、第２の溝２４ｂの形成された側が内側となるように、表紙１２が折りたたまれる。
【００１３】
断面円弧状の第１の溝２４ａ側は比較的自由に変形するが、断面窪み状の第２の溝２４ｂ側の自由度は低いため、表紙１２を折りたたむと、表表紙１６および裏表紙１８によって背表紙１４に応力がかかる。背表紙１４に形成された貫通孔２０により帯状に形成された連結部２２は、表表紙１６や裏表紙１８に比べて応力に弱いため、外側に向かって突出するように湾曲する。なお、第１の溝２４ａと第２の溝２４ｂとの間の間隔が小さい場合、溝２４部分で表紙１２が折れ曲がりやすく、背表紙１４が湾曲しにくくなる。また、第１の溝２４ａと第２の溝２４ｂとの間の間隔が大きい場合、溝２４部分で表紙１２が折れ曲がりにくくなる。そのため、表紙１２を閉じたときに、表表紙１６と裏表紙１８とが開いた状態となったり、背表紙１４が応力に耐えられなくなり、連結部２２の中央部で折れ曲がって背表紙１４が湾曲しなくなったりする。そのため、第１の溝２４ａと第２の溝２４ｂとの間の間隔は、背表紙１４がきれいに湾曲するような間隔となるように設定される。
【００１４】
表表紙１６と裏表紙１８との内側であって湾曲する背表紙１４の内側には、複数のシート３０が形成される。シート３０は、背表紙１４の長手方向の両端から内側に入った位置に形成される。シート３０は、たとえば弾力性を有するポリプロピレンなどの熱可塑性樹脂などで長方形状に形成される。
シート３０は、この実施の形態においては、第１のシート４０と第２のシート５０との２種類のシートが存在する。
第１のシート４０は、長方形の挟持シート部４２と前記挟持シート部４２の端部から前記背表紙１４の内側と前記複数の第２のシート５０の端部（綴じ代部）との間にわたって溶着部４４が一体形成されている。
【００１５】
溶着部４４は、挟持シート部４２の向こう側端から手前側端にわたって形成された長方形状で、挟持シート部４２と直交するように、１枚のシート状体が折り曲げられて形成され、背表紙１４より一回り小さな形状である。
溶着部４４は、背表紙１４の幅と略々同一の幅を備えており、背表紙１４の内側において連結部２２の内側面及び連結部２２の幅方向における溝２４の近傍、並びに背表紙１４の幅方向における貫通孔２０のＡ面側孔縁２０ａの表表紙１６側の近傍、Ｂ面側孔縁２０ｂの裏表紙１８側の近傍の溶着部１４ａ、及び幅方向における手前側孔縁２０ｃの手前側近傍、及び向こう側孔縁２０ｄの向こう側近傍の溶着部１４ｂに溶着されている。
【００１６】
更に、第１のシート４０の溶着部４４は、背表紙１４及び連結部２２との溶着時に加熱されたとき、加熱によって溶融し始め、柔軟になった溶着部４４が貫通孔２０の孔の中に入り込み、貫通孔２０の孔縁と密着する。すなわち、貫通孔２０のＡ面側孔縁２０ａ、Ｂ面側孔縁２０ｂ、手前側孔縁２０ｃ及び向こう側孔縁２０ｄと接着する。
このとき、溶着部４４は、完全に溶融し元のシート形状を失うのではなく、背表紙１４の外側に膨出した部分は溶融せず、もとのシート状の形状をほぼ保った状態となり、貫通孔２０の内側（孔内）でブリッジが形成される。
すなわち、溶着部４４の厚み方向の半分は、元のシート形状の状態に近い、全体が一体となってつながった状態となっている。
一方、第２のシート５０の幅方向の一端側は、背表紙１４の内側であって、第１のシート４０の溶着部４４の内側の平面に密着するように、長手方向において直線状となるように形成される。そして、隣接する第１のシート４０の挟持シート部４２と第２のシート５０が薄状物たる書類などの被挟持物Ｘを挟むために適する所定の間隔を隔てて配置されるようにして、第２のシート５０の幅方向の一端側が、第１のシート４０の溶着部４４に溶着され、且つ隣接する複数の第２のシート５０も、薄状物たる書類などの被挟持物Ｘを挟むために適する所定の間隔を隔てて配置されるようにして、第２のシート５０の幅方向の一端側が、第１のシート４０の溶着部４４に溶着される。
【００１７】
背表紙１４は湾曲しているため、表表紙１６と裏表紙１８との間において、全てのシート３０が背表紙１４から遠ざかるにしたがって表表紙１６と裏表紙１８の間の中央部に向かって集中する。したがって、表紙１２を閉じたとき、背表紙１４との溶着部においては、それぞれのシート３０が互いに間隔を隔てているが、背表紙１４から離れた部分においては、表表紙１６と裏表紙１８との間において全てのシート３０が密着した状態となる。
【００１８】
シート３０には、たとえば５つの円形の貫通孔３２が形成される。貫通孔３２は、たとえば正方形の各頂点とその中央部に対応する位置に形成される。さらに、シート３０の幅方向において、背表紙１６との溶着部の反対側端部に、インデックス３４が形成される。インデックス３４は、シート３０の幅方向の端部の一部が突出するように形成される。
【００１９】
インデックス３４は、最も表表紙１６側（Ａ面側）に位置する第１のシート４０の挟持シート部４２の外側端（背表紙側端縁とは反対側）に、１番目の数字「１」を印刷し、順次２番目の数字「２」、３番目の数字「３」といったように印刷される。
【００２０】
図１１図示実施の形態では、表表紙１６側の１６枚のシート３０に、互いに位置をずらして日付表示用のインデックス３４が形成される。このとき、表表紙１６側の第１のシート４０の挟持シート部４２から、内側から裏表紙１８に向かうにしたがって、シート３０の長手方向の一端側から他端側に位置をずらしてインデックス３４を形成することにより、全てのシート３０のインデックス３４が見えるように配置することができる。そして、表表紙１６側から内側から裏表紙１８に向かうにしたがって数字が大きくなるように、各インデックス３４に「１」から「１６」までの日付が印刷される。それにより、シート３０がまとまったとき、シート３０の長手方向の一端側から他端側に向かって、「１」から「１６」までの日付が順序よく並んで表示される。
【００２１】
さらに、「１６」の日付が表示されたインデックス３４に続いて、「１７」から「３１」までの日付が表示されたインデックス３４を有するシート３０が配置される。そして、「３１」の日付が表示されたインデックス３４を有するシート３０に続いて、つまり裏表紙１８側に、黒いドットが表示されたインデックス３４を有するシート３０が配置される。「１７」から黒いドットまで表示されたインデックス３４を有するシート３０の幅は、「１」から「１６」まで表示されたインデックス３４を有するシート３０の幅より大きく形成される。それにより、「１」から「１６」までの表示と「１７」から黒いドットまでの表示とが段違いに表示され、全ての表示を見ることができる。なお、「１７」から黒いドットまでの表示がされたインデックス３４についても、「１」から「１６」までの表示がされたインデックス３４と同様の位置関係となるように、各シート３０にインデックス３４が形成されている。
【００２２】
裏表紙１８の端部は、「１７」から黒いドットまで表示されたインデックス３４より外側にくるように、裏表紙１８の幅が設定される。ここで、裏表紙１８の端部に凹部１８ａが形成されていない場合、シート３０と裏表紙１８との間に指を入れて、所望の日付が表示されたインデックス３４を有するシート３０を開く必要がある。しかしながら、このファイル１０の場合、裏表紙１８の幅方向の端部に形成された凹部１８ａが、「１７」から黒いドットまで表示されたインデックス３４のそれぞれに対応する位置に形成される。したがって、「１７」から黒いドットまで表示されたインデックス３４の背面には、それぞれ裏表紙１８の凹部１８ａが配置される。それにより、凹部１８ａに沿って指を動かすことにより、「１７」から黒いドットが表示されたインデックス３４のそれぞれに指を当てることができ、所望の日付が表示されたインデックス３４を有するシート３０を開くことができる。また、「１」から「１６」まで表示されたインデックス３４が見えるように、表表紙１６の幅が設定される。したがって、表紙１２を閉じたとき、表表紙１６側から見ると、下から順に、裏表紙１８、「１７」から黒いドットまで表示されたインデックス３４、「１」から「１６」まで表示されたインデックス３４、表表紙１６が見えることになる。
【００２３】
さらに、図５に示すように、背表紙１４の外面側を覆うように、表紙１２の長手方向の上端から下端まで、背見出し６０が形成される。背見出し６０は、たとえば透明な長方形状の熱可塑性フィルムを背表紙１４と平行な位置で表表紙１６および裏表紙１８に溶着することにより形成される。そして、背見出し６０に背見出し紙６２を挿入することにより、必要な情報を表示することができる。このとき、裏表紙１８側よりも表表紙１６側のほうに多くの背見出し６０がくるようにすることにより、表表紙１６側から背見出し紙６２に表示された情報が確認しやすくなる。
【００２４】
このようなファイル１０を作製するために、図６に示すように、表紙１２が準備される。ここで、表紙１２として、図７に示すように、予め背表紙１４の長手方向の両端部が表表紙１６および裏表紙１８の長手方向の両端部より窪んだ状態となるように形成されたものが用いられる。つまり、貫通孔２０の間に形成された連結部２２の最も外側にあるものについて、貫通孔２０の反対側に窪み部２２ａが形成されている。窪み部２２ａは、たとえば背表紙１４の幅と略同じとなるように形成され、窪み部２２ａと表表紙１６との境界部分および窪み部２２ａと裏表紙１８との境界部分は円弧状に形成される。このような表紙１２について、背表紙１４が平らになるように保持される。
【００２５】
次に、図８に示すように、複数のシート３０が準備される。
シート３０のうち、第１のシート４０が、表表紙１６と裏表紙１８の内側に配置され、溶着部４４は、背表紙１４の内側に対向するように配置される。
第１のシート４０の溶着部４４は、背表紙１４の内側において、貫通孔２０の孔縁の近傍の溶着部１４ａ及び溶着部１４ｂと対向するように配置される。
貫通孔２０の幅方向において間隔を隔てるＡ面側孔縁２０ａの近傍とＢ面側孔縁２０ｂの近傍との間において、左右に均等に背表紙１４の溶着部１４ｂと接着されるように配置されるとともに、貫通孔２０の長手方向において間隔を隔てる手前側孔縁２０ｃと向こう側孔縁２０ｄとの間において、均等に背表紙１４の溶着部１４ａと接着されるように配置される。
【００２６】
シート３０のうち、第２のシート５０が第１のシート４０の溶着部４４の内側面と直交する方向において、第２のシート５０の端部（綴じ代部）が密着できるように配置される。
第１のシート４０の挟持シート部４２と第２のシートとは、挟持シート部４２のＢ面側と第２のシートＡ面側とが対向して、第１のシート４０と第２のシート５０とが略々同一の間隔をおいて並列され、且つ第２のシート５０の長手端縁が挟持シート部４２の長手方向に並列されている。
【００２７】
シート３０の大きさは、ファイル１０に保管する書類の大きさより大きくなるように設定される。図１図示実施の形態においては、第１のシート４０の挟持シート部４２の幅Ｌ（１）と第２のシート５０との幅Ｌ（２）とは、略々同一に形成されており、挟持シート部４２の背表紙１４側とは反対側の端縁と第２のシート５０の背表紙１４側とは反対側の端とは揃うように形成されている（図９及び図１０参照）。
【００２８】
図１１図示実施の形態のファイル１０は、図１１Ａに示すように、「１番目の数字（日付）」が表示されたインデックス３４を有するシート３０（第２のシート５０）の幅をＬ（１）とし、「２番目の数字（日付）」が表示されたインデックス３４を有するシート３０の幅をＬ（２）とすると、幅Ｌ（２）が幅Ｌ（１）より長くなるように形成される。
同様にして、図１１に示すように、「１６番目の数字（日付）」が表示されたインデックス３４を有するシート３０（第２のシート５０）の幅Ｌまで、順次シート３０の幅が長くなるように形成される。
【００２９】
さらに、図１１に示すように、「１７番目の数字（日付）」が表示されたインデックス３４を有するシート３０（第２のシート５０）の幅Ｌは、「１６番目の数字（日付）」が表示されたインデックス３４を有するシート３０（第２のシート５０）の幅Ｌより大きく形成される。これは、図１１に示すように、「１」から「１６」までの日付が表示されたインデックス３４と「１７」から黒いドットまで表示されたインデックス３４とが、段違いに配置されるようにするためである。そして、「１７番目の数字（日付）」が表示されたインデックス３４を有するシート３０（第２のシート５０）の幅Ｌから、図１１Ｂに示すような黒いドットが表示されたインデックス３４を有するシート３０（第２のシート５０）の幅Ｌ（３）まで、順次幅が小さくなっていくように、各シート３０が形成される。したがって、表表紙１６側および裏表紙１８側から中央部のシート３０（第２のシート５０）に向かって幅が大きくなるように各シート３０が配置されている。
【００３０】
なお、それぞれのシート３０において、複数の円形の貫通孔３２のうちの対応するものは、シート３０の長手方向の同じ位置に形成される。また、それぞれのシート３０において、複数の円形の貫通孔３２のうちの対応するものは、シート３０のインデックス３４とは反対側の幅方向端部から等距離となる位置に形成される。したがって、幅の異なるシート３０であっても、長手方向の端部およびインデックス３４とは反対側の幅方向端部を揃えて重ねることにより、全てのシート３０の貫通孔３２を揃えることができる。
【００３１】
このように配置されたシート３０（第１のシート４０の挟持シート部４２及び第２のシート５０）の間に、隔幅部材としての合紙７０が挟み込まれる。合紙７０は、図８に示すように、所定の厚みを有する長方形状に形成される。合紙７０の長手方向の長さは、シート３０（第１のシート４０の挟持シート部４２及び第２のシート５０）の長手方向と同じ長さとなるように形成される。そして、合紙７０の長手方向の両端に、一部が突出する突出部７０ａが形成される。また、合紙７０の幅方向の長さは、たとえばシート３０の幅方向の長さより長くなるように形成される。
【００３２】
合紙７０には、３つの貫通孔７２が形成される。合紙７０の貫通孔７２は、インデックス３４とは反対側のシート３０の幅方向端部に近い３つの貫通孔３２に対応して形成される。つまり、シート３０の長手方向と合紙７０の長手方向とを合わせるとともに、インデックス３４とは反対側のシート３０の幅方向端部と合紙７０の幅方向の一端側とを合わせるようにして、シート３０と合紙７０とを重ねたとき、インデックス３４とは反対側のシート３０の幅方向端部側にある３つの貫通孔３２と合紙７０の貫通孔７２とが重なるように形成される。このような合紙７０を複数のシート３０（第１のシート４０の挟持シート部４２及び第２のシート５０）の間に挟み込み、シート３０の貫通孔３２と合紙７０の貫通孔７２とを揃えることにより、全てのシート３０（第１のシート４０の挟持シート部４２及び第２のシート５０）について、インデックス３４とは反対側の端部が揃うように配置することができる。次に、図１２に示すように、表紙１２の背表紙１４にシート３０（第１のシート４０の溶着部４４及び第２のシート５０）が溶着される。
【００３３】
また、製本装置１０００は、図１２Ｂに示すように、第１のシート４０の挟持シート部４２と多数枚の第２のシート５０とを重合したシート３０を保持するシート保持機構１００２と、表紙１２を保持する表紙用保持機構１００４と、発熱体１００６（Ｈ）と、この発熱体１００６（Ｈ）をシート３０と表紙１２との間に介在または抜き出し可能とするシリンダ機構（図示せず）とを備えている。
【００３４】
シート保持機構１００２は、テーブル１０１０に固定のシート押圧部１００８と、図示しないねじやピストン等の駆動手段でテーブル１０１０上を可動する可動シート押圧部１０１２と、固定のシート押圧部１００８と可動シート押圧部１０１２とによってシート３０をクランプするように構成されている。
【００３５】
また、表紙用保持機構１００４は、表紙１２の裏表紙１８の内面を下向きにして取り付け可能に構成されたものであり、図示しない昇降手段により上下動可能に構成されている。
【００３６】
発熱体１００６（Ｈ）は、内部にシーズヒータ等が内蔵された板状のものであるが、発熱体１００６（Ｈ）はこれに限らず、熱エネルギーを放出可能な種々の手段が考えられる。
【００３７】
前記の製本装置１０００を使用してファイルを製本する方法について説明する。
まず、図１２Ｃに示すように、第１のシート４０の挟持シート部４２と多数枚の第２のシート５０とを重合し、その重なり端面を固定のシート押圧部１００８と可動シート押圧部１０１２とでクランプし、且つ、表紙用保持機構１００４により、表紙１２の裏表紙１８の内面を下側にした状態で、表紙１２を保持し、表紙用保持機構１００４を下降させて第１のシート４０の溶着部４４の上面と表紙１２の裏表紙１８の内面とを対向させるとともに、その間に発熱体１００６（Ｈ）を介在させることができる位置まで接近させる。
そして、発熱体１００６（Ｈ）を両者の間に介在させ、表紙１２の裏表紙１８の内面と第１のシート４０の溶着部４４の上面並びに第１のシート４０の溶着部４４の下面及び第２のシート５０のつき合せ端面とを同時に溶融させる。
【００３８】
その溶融温度は、ポリプロピレンの溶融温度が、１２０〜１３０℃であるため、１７０〜１８０℃前後の発熱体１００６を使用して４〜５秒前後の時間で、表紙１２の裏表紙１８の内面と第１のシート４０の溶着部４４の上面並びに第１のシート４０の溶着部４４の下面及び第２のシート５０のつき合せ端面とを同時に溶融させる。
その後、背表紙１４と溶着部４４との間から発熱体１００６（Ｈ）を引き抜き、背表紙１４を第１のシート４０の溶着部４４に接触させて両者を接合する（図１２Ｄ参照）。
【００３９】
次に、再び、表紙用保持機構１００４を背表紙１４の上面に押し当て、表紙１２の裏表紙１８の内面と第１のシート４０の溶着部４４の上面並びに第１のシート４０の溶着部４４の下面及び第２のシート５０のつき合せ端面とを同時に溶着させる（図１２Ｅ参照）。
そして、適宜、溶着部位を冷却して、完全に表紙１２の裏表紙１８の内面と第１のシート４０の溶着部４４の上面並びに第１のシート４０の溶着部４４の下面及び第２のシート５０のつき合せ端面とを固着する。
【００４０】
シート３０は、表紙１２の第２の溝２４ｂが形成された側において、インデックス３４とは反対側のシート３０のうち第１のシート４０の溶着部４４を背表紙１４の内面と対向させ、且つ第２のシート５０の幅方向端部を背表紙１４側すなわち、第１のシート４０の溶着部４４の内面側に配置させる。
次に、背表紙１４の内側面と、第１のシートの溶着部４４の外側面（背表紙１４側）との間に発熱体１００６（Ｈ）が配置され、発熱体１００６（Ｈ）と背表紙１４の内側面と第１のシート４０の溶着部４４及び第２のシート５０の端部を（綴じ代側）とを密着させる。この状態で、背表紙１４とシート３０との間に挿入された発熱体Ｈが、背表紙１４の内側面と第１のシート４０の挟持シート部４２との対向部分を溶融させ、且つ第２のシート５０の端部を溶融させ、互いを押し当てることにより、背表紙１４とシート３０とが溶着される。このとき、溶着部４４の厚み方向の半分は、元のシート形状の状態に近い全体が一体となってつながった状態となっている。
シート３０は、たとえば弾力性を有するポリプロピレンなどの熱可塑性樹脂などで長方形状に形成される。一方、第２のシート５０は、たとえば弾力性を有するポリプロピレンなどの熱可塑性樹脂などで長方形状に形成され、その幅方向の一端側は、背表紙１４の内側であって、第１のシート４０の溶着部４４の内側の平面に密着するように、長手方向において直線状となるように形成される。
そして、隣接する第１のシート４０の挟持シート部４２と第２のシート５０が薄状物たる書類などの被挟持物Ｘを挟むために適する所定の間隔を隔てて配置されるようにして、シート３０の幅方向の一端側が、背表紙１４に溶着される。
このとき、背表紙１４の連結部２２の内側面にシート３０が溶着されるが、貫通孔２０部分においては、図４に示すように、第１のシート４０の溶着部４４の端部が溶融して、隣接する第２のシート５０の端部を連結するブリッジ３０ａが形成される。このとき、連結部２２部分において、シート３０の幅方向端部が接続され、背表紙１４の貫通孔２０部分において、第１のシート４０及び第２のシート５０の端部間にブリッジ３０ａが形成される。このように、合紙７０を挟んでシート３０を背表紙１４に溶着することにより、隣接するシート３０間に合紙７０の厚み分の隙間を形成することができる。
【００４１】
なお、溶着のために背表紙１４が加熱されるが、それにより連結部２２が膨張して、その幅が増大する。中間部の連結部２２については、幅が増大しても特に問題はないが、背表紙１４の両端にある連結部２２の幅が増大すると、連結部２２の端部が表表紙１６および裏表紙１８の端部を越えて突出する。この場合、ファイル１０を立てて保管するときに、突出した連結部２２にファイル１０の重量が集中し、背表紙１４が潰れて、見栄えが悪くなる。しかしながら、背表紙１４の長手方向の両端部、つまり外側に位置する２つの連結部２２の端部に予め窪み部２２ａが形成されていることにより、図１３に示すように、熱による連結部２２の膨張により幅が増大しても、表表紙１６および裏表紙１８の端部を越えないようにすることができる。したがって、ファイル１０を立てて保管したとき、背表紙１４に重量が集中するのを防止することができる。
【００４２】
実際に、厚さ１ｍｍのポリプロピレンシートを用いて、図１６並びに図２０及び図２１に示す表紙１２を形成した。
ここで、ポリプロピレンシートの延伸方向が表表紙１６から裏表紙１８に向かう方向となるようにして、表紙１２を形成した。図２０図示表紙１２の全体の大きさは、４９９ｍｍ×３１８ｍｍである。このような表紙１２において、図１８に示すように、背表紙１４の長手方向の端部における、貫通孔２０の幅を２０ｍｍ（図１６図示表紙）及び３０ｍｍ（図２０図示表紙）、貫通孔２０の角部における円弧の曲率半径を２ｍｍ、連結部２２の幅を５ｍｍ、窪み部２２ａの長さを約２５ｍｍ（図１６図示表紙）及び約３７ｍｍ（図２０図示表紙）、窪み部２２ａと表表紙１６との間の円弧および窪み部２２ａと裏表紙１８との間の円弧の曲率半径を０．５ｍｍとした。
【００４３】
このような表紙１２の背表紙１４に、ポリプロピレンシートからなるシート３０を３２枚重合して溶着したところ、連結部２２の外側への張出し量は０．５ｍｍ以内におさまり、隣接する表表紙１６および裏表紙１８の端部を越えることはなかった。なお、表紙１２の背表紙１４の長手方向両端における窪み部２２ａの深さは、表紙１２の材質、表紙１２の熱膨張率、表紙１２の厚み、背表紙１４の長手方向両端部における連結部２２の長さおよび幅、シートを溶着するときの加熱温度および加熱時間、製本後における表表紙１６および裏表紙１８に対する背表紙１４のへこみの許容量などによって影響される。したがって、製本後において、背表紙１４の長手方向の両端が隣接する表表紙１６および裏表紙１８の端部を越えないように、これらのパラメータを選択すればよい。
【００４４】
次に、図１４に示すように、表紙１２には、インデックス３４を形成されたシート３０が溶着された側と反対側に長方形状の透明な樹脂フィルムが溶着され、背見出し６０が形成される。ここで、上述のように、表表紙１６側が裏表紙１８側より多く背見出し６０で覆われるようにして、背見出し６０の幅方向の両側が表紙１２に溶着される。この背見出し６０に、背見出し紙６２が挿入される。次に、突出部７０ａを利用して合紙７０を引き抜くことにより、シート３０間の合紙７０が除去される。
【００４５】
そして、シート３０が内側となるようにして、表表紙１６と裏表紙１８とが閉じられる。それにより、背表紙１４がシート３０と反対側に突出するように湾曲し、図１に示すファイル１０が得られる。なお、シート３０の幅が異なるため、背表紙１４が平らな状態でシート３０を溶着したとき、インデックス３４側のシート３０の幅方向端部は不揃いとなる。しかしながら、表紙１２を閉じることにより、背表紙１４が湾曲するため、中央部にあるシート３０ほど背表紙１４側に引き込まれる。複数のシート３０は、外側から内側に向かうにしたがって、幅が大きくなるように配置されているため、表紙１２を閉じて背表紙１４が湾曲することにより、インデックス３４側のシート３０の幅方向端部が揃えられる。このように、表紙１２を閉じたときに、シート３０のインデックス３４側の幅方向端部を揃えるために各シート３０の幅を変えているが、背表紙１４の幅、曲率半径および隣接するシート３０間の間隔などにより、表紙１２を閉じたときのシート３０の引き込み量が異なる。そのため、表紙１２を閉じたときのシート３０の引き込み量に応じて、隣接するシート３０間の幅の差が設定される。
【００４６】
図１１図示実施の形態のファイル１０は、たとえば１か月分の書類管理用ファイルとして用いられる。たとえば、その月の１日に必要な書類などの被挟持物Ｘは、図１に示すように、「１」の日付が表示されたインデックス３４を有するシート３０と「２」の日付が表示されたインデックス３４を有するシート３０との間に挟み込まれる。ここで、隣接するシート３０間には、合紙７０の厚み分の隙間が形成されているが、図１５に示すように、背表紙１４が湾曲しているため、背表紙１４から離れるにしたがって、表表紙１６と裏表紙１８との間で全てのシート３０が中央側に集合し、隣接するシート３０が密着した状態となる。そのため、表紙１２を閉じれば、隣接するシート３０によって書類などの被挟持物Ｘが押し付けられ、書類などの被挟持物Ｘはファイル１０から外れることなく保持される。書類などの被挟持物Ｘが複数枚の場合であっても、隣接するシート３０間に合紙７０の厚み分の隙間があるため、書類などの被挟持物Ｘをまとめてシート３０間に保持することができる。
【００４７】
しかも、第１のシート４０の溶着部４４が、第２のシート５０と背表紙１４との間に介在して、貫通孔２０を完全に塞ぐために、第１のシート４０と第２のシート５０及び隣接する第２のシート５０と第２のシート５０との間から貫通孔２０を通りぬけて、抜け落ちることなく、書類などの被挟持物Ｘをまとめてシート３０に保持することができる。
【００４８】
ファイル１０に保持した書類を取り出すときには、必要とする日付が表示されたインデックス３４を有するシート３０を開くことにより、書類などの被挟持物Ｘを取り出すことができる。ここで、シート３０には円形の貫通孔３２が形成されているため、シート３０と書類などの被挟持物Ｘとの間が真空状態となって、シート３０に書類などの被挟持物Ｘが貼り付くことを防止することができる。このように、このファイル１０は、隣接するシート３０間に書類を挟み込むだけで保持することができるため、書類などの被挟持物Ｘの出し入れが容易である。
【００４９】
さらに、このファイル１０では、背表紙１４の端部が表表紙１６および裏表紙１８の端部を越えない形状となっているため、ファイル１０を本棚などに立てて保管しても、ファイル１０の重量が特定箇所に集中しない。そのため、ファイル１０の端部が潰れたりすることを防止することができ、きれいな外観を保つことができる。なお、背表紙１４としては、貫通孔２０が形成されていないものを用いることもできる。この場合においても、背表紙１４の長手方向の両端部に隣接する表表紙１６および裏表紙１８の端部より窪んだ窪み部２２ａを形成しておくことにより、シート３０を溶着したときに、背表紙１４の端部が隣接する表表紙１６および裏表紙１８の端部を越えないようにすることができる。
【００５０】
このように、図１１図示実施の形態のファイル１０を用いれば、１か月のそれぞれの日に必要な書類を管理することができる。なお、シート３０の数は任意に変更可能であり、たとえば１週間分の書類を管理するのであれば、「１」から「７」までの日付が表示されたインデックス３４を有するシート３０と、ドットが表示されたインデックス３４を有するシート３０とを用いればよい。また、２週間分の書類を管理するのであれば、「１」から「１４」までの日付が表示されたインデックス３４を有するシート３０と、ドットが表示されたインデックス３４を有するシート３０を用いればよい。さらに、インデックス３４の表示としては、日付に限らず、ファイル１０の用途に応じて他の項目を表示してもよい。
【００５１】
また、この発明の製造方法を用いることにより、シート３０を溶着した背表紙１４が湾曲しているにもかかわらず、インデックス３４側の幅方向端部が揃うように、シート３０を配置することができる。そのため、インデックス３４をきれいに並べることができ、インデックス４の表示を見やすくすることができる。しかも、背表紙１４の端部が表表紙１６および裏表紙１８の端部を越えないファイル１０を作製することができ、ファイル１０の重量による特定箇所の破損などを防止することができるファイル１０を得ることができる。
【００５２】
この発明は、前記実施の形態に限定されることなく、この発明の思想に基づき種々変更することができる。
Ａ面側とＢ面側に、第１のシート１４０を配置し、Ａ面側の第１のシート１４０Ａの溶着部１４４ＡとＢ面側の第１のシート１４０Ｂの溶着部１４４Ｂとを背表紙１１４の内側において重ね合わせて、背表紙１１４と第２のシート１５０とに溶着するようにしてもよい。
また、図１８に示すように、溶着部１４４Ａと溶着部１４４Ｂとをそれぞれ半分の幅として、背表紙１１４の中央近傍で突き合わせるようにしてもよい。
また、図１９に示すように、第１のシート２４０を、断面Ｕ字型ないしはコ字型を形成し、中央の溶着部２４４を背表紙２１４の内面と溶着し、Ａ面側の挟持シート２４２ＡとＢ面側の挟持シート２４２Ｂとの間において、第２のシート２５０が溶着部２４４の下面に溶着するようにしてもよい。
【産業上の利用可能性】
【００５３】
この発明にかかるファイル及びその製造方法は、ダイアリー、アルバム、名刺ホルダー、はがき整理ファイル、レターファイル、クリヤーブック、マガジンファイル、ドキュメントファイル、カルテフォルダー等のファイル及びそれに類するはさみ入れるものに用いる。
【符号の説明】
【００５４】
３    表紙
１０  ファイル
１２  表紙
１４  背表紙
１４ａ  溶着部
１４ｂ  溶着部
１６  表表紙
１８  裏表紙
１８ａ  凹部
２０  貫通孔
２０ａ  Ａ面側孔縁
２０ｂ  Ｂ面側孔縁
２０ｃ  手前側孔縁
２０ｄ  向こう側孔縁
２２  連結部
２２ａ  窪み部
２４  溝
２４ａ  第１の溝
２４ｂ  第２の溝
３０  シート
３０ａ  ブリッジ
３２  貫通孔
３４  インデックス
４０  第１のシート
４２  挟持シート部
４４  溶着部
５０  第２のシート
６０  背見出し
６２  背見出し紙
７０  合紙
７０ａ  突出部
７２  貫通孔
１１４  背表紙
１４０  第１のシート
１４０Ａ  Ａ面側の第１のシート
１４０Ｂ  Ｂ面側の第１のシート
１４４Ａ  溶着部
１４４Ｂ  溶着部
１５０  第２のシート
２４０  第１のシート
２４２Ａ  Ａ面側の挟持シート
２４２Ｂ  Ｂ面側の挟持シート
２４４  溶着部
２５０  第２のシート
１０００  製本装置
１００２  シート保持機構
１００４  表紙用保持機構
１００６  発熱体
１００８  シート押圧部
１０１０  テーブル
１０１２  シート押圧部
Ｈ  発熱体
Ｌ  幅
Ｘ  書類などの被挟持物
【図１】
2011201114.tif 000003
【図２】
2011201114.tif 000004
【図３】
2011201114.tif 000005
【図４】
2011201114.tif 000006
【図５】
2011201114.tif 000007
【図６】
2011201114.tif 000008
【図７】
2011201114.tif 000009
【図８】
2011201114.tif 000010
【図９】
2011201114.tif 000011
【図１０】
2011201114.tif 000012
【図１１Ａ】
2011201114.tif 000013
【図１１Ｂ】
2011201114.tif 000014
【図１１Ｃ】
2011201114.tif 000015
【図１１Ｄ】
2011201114.tif 000016
【図１２Ａ】
2011201114.tif 000017
【図１２Ｂ】
2011201114.tif 000018
【図１２Ｃ】
2011201114.tif 000019
【図１２Ｄ】
2011201114.tif 000020
【図１２Ｅ】
2011201114.tif 000021
【図１３】
2011201114.tif 000022
【図１４】
2011201114.tif 000023
【図１５】
2011201114.tif 000024
【図１６】
2011201114.tif 000025
【図１７】
2011201114.tif 000026
【図１８】
2011201114.tif 000027
【図１９】
2011201114.tif 000028
【図２０】
2011201114.tif 000029
【図２１】
2011201114.tif 000030
【図２２】
2011201114.tif 000031